(57)【特許請求の範囲】
【請求項１】
建物の壁部と、該壁部と所定間隔離間して床部に立設された立ち上がり壁とに囲まれたテラス囲いにおいて、
前記立ち上がり壁の上面に立設する柱に支持された上ベース部材と、
該上ベース部材の下側に配置され前記立ち上がり壁に支持された下ベース部材と、
前記柱の頂部と前記建物の壁部との間に架けられた梁部と、前記床部との間で上下方向に延在し、前記上ベース部材および前記下ベース部材に前記壁部側から固定され、前記壁部側から建具の枠が取り付けられる第１柱部材と、を有し、
前記上ベース部材は、前記立ち上がり壁の上面から前記梁部まで上下方向に延在し、
前記下ベース部材は、前記床部から前記立ち上がり壁の上面の高さまで上下方向に延在し、
該第１柱部材は、前記上ベース部材および前記下ベース部材に対してそれぞれ前記壁部と前記立ち上がり壁とが近接・離間する方向に固定位置を調整可能であることを特徴とするテラス囲い。
【請求項２】
前記建物の壁部に第２柱部材が設けられていて、前記第１柱部材および前記第２柱部材には、枠材を取り付け可能である請求項１に記載のテラス囲い。
【請求項３】
前記第１柱部材は、前記上ベース部材および前記下ベース部材それぞれの少なくとも一部を前記壁部側から覆っている請求項１または２に記載のテラス囲い。
【発明の詳細な説明】
【技術分野】
【０００１】
本発明は、建物のテラスやバルコニーなどの上方を囲うテラス囲いに関する。
【背景技術】
【０００２】
従来、建物のテラスや建物の躯体から外方に突出したバルコニーの外周や上部を囲うテラス囲いが知られている（例えば、特許文献１参照）。
このようなテラス囲いにドアなどの建具を設けるためには枠材を取り付ける必要がある。そして、枠材を取り付けるためにはテラスやバルコニーの立ち上がり壁の内側にテラス囲いの柱部材を立設する必要がある。
【先行技術文献】
【特許文献】
【０００３】
【特許文献１】特開２０１３−２４１７５７号公報
【発明の概要】
【発明が解決しようとする課題】
【０００４】
しかしながら、立ち上がり壁の内側にテラス囲いの柱部材を立設すると、テラス囲い内部の空間が狭くなるという問題がある。
【０００５】
そこで、本発明は、テラス囲い内部の空間を広く確保することができるテラス囲いを提供することを目的とする。
【課題を解決するための手段】
【０００６】
上記目的を達成するため、本発明に係るテラス囲いは、建物の壁部と、該壁部と所定間隔離間して床部に立設された立ち上がり壁とに囲まれたテラス囲いにおいて、前記立ち上がり壁の上面に立設する柱に支持された上ベース部材と、該上ベース部材の下側に配置され前記立ち上がり壁に支持された下ベース部材と、前記柱の頂部と前記建物の壁部との間に架けられた梁部と、前記床部との間で上下方向に延在し、前記上ベース部材および前記下ベース部材に前記壁部側から固定され、前記壁部側から建具の枠が取り付けられる第１柱部材と、を有し、前記上ベース部材は、前記立ち上がり壁の上面から前記梁部まで上下方向に延在し、前記下ベース部材は、前記床部から前記立ち上がり壁の上面の高さまで上下方向に延在し、該第１柱部材は、前記上ベース部材および前記下ベース部材に対してそれぞれ前記壁部と前記立ち上がり壁とが近接・離間する方向に固定位置を調整可能であることを特徴とする。
【０００７】
本発明では、第１柱部材が、立ち上がり壁の上部に立設する柱に支持された上ベース部材と、立ち上がり壁に支持された下ベース部材に対してそれぞれ壁部と立ち上がり壁とが近接・離間する方向に固定位置を調整可能である。これにより、第１柱部材を壁部側から立ち上がり壁に向かう方向に寄せるようにして上ベース部材および下ベース部材に取り付けると、テラス囲いの内側に柱部材を立設した場合と比べて第１柱部材の立ち上がり壁から壁部側への突出寸法を抑えることができる。このため、テラス囲い内部の空間を広く確保することができる。
【０００８】
また、本発明に係るテラス囲いでは、前記建物の壁部に第２柱部材が設けられていて、前記第１柱部材および前記第２柱部材には、枠材を取り付け可能としてもよい。
このような構成とすることにより、第１柱部材と第２柱部材との間に枠材を設けることができ、その結果、枠材に扉などを設置することができる。
【０００９】
また、本発明に係るテラス囲いでは、前記第１柱部材は、前記上ベース部材および前記下ベース部材それぞれの少なくとも一部を前記壁部側から覆っている構成としてもよい。
このような構成とすることにより、上ベース部材と下ベース部材とが壁部と立ち上がり壁とが近接・離間する方向にずれた位置に配置された場合でも、上ベース部材と下ベース部材とがそれぞれ第１柱部材に覆われることにより、意匠性をよくすることができる。
【発明の効果】
【００１０】
本発明によれば、テラス囲い内部の空間を広く確保することができる。
【図面の簡単な説明】
【００１１】
【図１】本発明の実施形態によるテラス囲いの正面図である。
【図２】本発明の実施形態によるテラス囲いを幅方向から見た様子を示す図である。
【図３】図２のＡ−Ａ線断面図である。
【図４】図２のＢ−Ｂ線断面図である。
【図５】図２のＣ−Ｃ線断面図である。
【図６】図２のＤ−Ｄ線断面図である。
【発明を実施するための形態】
【００１２】
以下、本発明の実施形態によるテラス囲いについて、図１乃至図６に基づいて説明する。
図１および図２に示すように、本実施形態によるテラス囲い１は、例えば建物１１から突出するバルコニーや建物１１に隣接するテラス、物干しルームなどに設けられている。
テラス囲い１は、床部１２と、床部１２に立設し建物１１の壁部１３と間隔をあけて対向する立ち上がり壁１４と、立ち上がり壁１４のコーピング１４１の上面に立設する一対のコーピング上柱１５，１５と、コーピング上柱１５の頂部と建物１１との間に架け渡された梁部１６と、梁部１６の上部に設けられた屋根部１７と、を有している。床面１２ａには、建物１１の壁部１３側から立ち上がり壁１４側向かって漸次下側に向かう排水勾配が設けられている。本実施形態では、一対のコーピング上柱１５，１５の間にサッシ１８が設けられている。
【００１３】
ここで、建物１１の壁部１３と立ち上がり壁１４とが近接・離間する方向（図１の紙面に直交する方向、図２の左右方向）を前後方向とし、建物１１の壁部１３に対する立ち上がり壁１４側を前側とし、立ち上がり壁１４側に対する建物１１の壁部１３側を後側とするとともに、前後方向に直交する水平方向（図１の左右方向、図２の紙面に直交する方向）を幅方向とする。
また、以下の説明における各部材の向きは、各部材がテラス囲い１に設置された際の向きとしている。
【００１４】
本実施形態では、テラス囲い１の内部には、立ち上がり壁１４およびコーピング上柱１５に支持された第１柱部材２と、建物１１の壁部１３に支持された第２柱部材３と、第１柱部材２と第２柱部材３との間にわたすように床面１２ａに設けられた調整部材４と、第１柱部材２と第２柱部材３との間に渡すように床面１２ａに設けられるとともに調整部材４に覆われた止水部材５と、第１柱部材２、第２柱部材３、調整部材４および柱部材の内側に設けられた枠材６と、を有している。
枠材６は、テラス囲い１の内部を幅方向の一方側と他方側とに仕切る建具（不図示）を取り付け可能に構成されている。
【００１５】
第１柱部材２は、床部１２から梁部１６にわたって上下方向に延在していて、上側がコーピング上柱１５に支持された上ベース部材７に固定され、下側が立ち上がり壁１４の側面に支持された下ベース部材８に固定されている。第１柱部材２は、上ベース部材７および下ベース部材８にそれぞれ固定されることで、上ベース部材７および下ベース部材８とともに柱部を構成している。
図３および図４に示すように、第１柱部材２は、後側に配置されて枠材６が固定される枠固定板部２１と、枠固定板部２１の幅方向の両端部からそれぞれ前方に突出する一対の柱側板部２２，２２と、柱側板部の前後方向の中間部を連結する連結板部２３と、を有している。
一対の柱側板部２２，２２は、幅方向に間隔をあけて略平行に配置されている。一対の柱側板部２２，２２の間には、空部Ｓ１が形成されている。
一対の柱側板部２２，２２の前側には、それぞれ互いに近接する方向に突出する突出片２２ａ，２２ａ…が上下方向全体にわたって２箇所ずつ形成されている。
【００１６】
図３に示すように、上ベース部材７は、コーピング１４１の上面から梁部１６の下端部にわたって上下方向に延在していて、コーピング上柱１５の後側に配置されている。上ベース部材７は、コーピング上柱１５の後面１５ａに固定されるコーピング上柱固定部７１と、コーピング上柱固定部７１から後側に突出する上アジャスト部７２と、を有している。
上アジャスト部７２は、幅方向に互いに間隔をあけて配置されコーピング上柱固定部７１から後側に突出する一対の上アジャスト側板部７２１，７２１を有している。一対の上アジャスト側板部７２１，７２１は、それぞれ板面が幅方向を向くように平行に配置されている。
【００１７】
一対の上アジャスト側板部７２１，７２１は、第１柱部材２の一対の柱側板部２２，２２の間の空部Ｓ１に前側から挿入可能で、一対の上アジャスト側板部７２１，７２１が一対の柱側板部２２，２２の間の空部Ｓ１に配置されると、上アジャスト部７２が第１柱部材２に覆われた状態となる。このとき、一対の柱側板部２２，２２の突出片２２ａ，２２ａの先端部は、一対の上アジャスト側板部７２１，７２１の外側の面と当接している。
上ベース部材７と第１柱部材２とは、上アジャスト部７２が一対の柱側板部２２，２２の間の空部Ｓ１に配置された状態で所望の前後方向の位置において固定できるように構成されている。  
【００１８】
図４に示すように、下ベース部材８は、床面１２ａからコーピング１４１の下面近傍にわたって上下方向に延在していて、立ち上がり壁１４の後側に配置されている。下ベース部材８は、立ち上がり壁１４の後面１４ａに固定される立ち上がり壁固定部８１と、立ち上がり壁固定部８１から後側に突出する下アジャスト部８２と、を有している。
下アジャスト部８２は、幅方向に互いに間隔をあけて配置され立ち上がり壁固定部８１から後側に突出する一対の下アジャスト側板部８２１，８２１を有している。一対の下アジャスト側板部８２１，８２１は、それぞれ板面が幅方向を向くように平行に配置されている。
【００１９】
一対の下アジャスト側板部８２１，８２１は、第１柱部材２の一対の柱側板部２２，２２の間の空部Ｓ１に前側から挿入可能で、一対の下アジャスト側板部８２１，８２１が一対の柱側板部２２，２２の間の空部Ｓ１に配置されると、下アジャスト部８２が第１柱部材２に覆われた状態となる。このとき、一対の柱側板部２２，２２の突出片２２ａ，２２ａの先端部は、一対の下アジャスト側板部８２１，８２１の外側の面と当接している。
下ベース部材８と第１柱部材２とは、下アジャスト部８２が一対の柱側板部２２，２２の間の空部Ｓ１に配置された状態で所望の前後方向の位置において固定できるように構成されている。  
【００２０】
本実施形態では、コーピング上柱１５の後面１５ａは、立ち上がり壁１４の後面１４ａよりも前側に配置されている。そして、上ベース部材７のコーピング上柱固定部７１の前後方向の長さ寸法は、下ベース部材８の立ち上がり壁固定部８１の前後方向の長さ寸法よりも小さく形成されて、上ベース部材７がコーピング上柱１５に固定され、下ベース部材８が立ち上がり壁１４に固定されると、上ベース部材７の上アジャスト部７２と、下ベース部材８の下アジャスト部８２とが、上下方向に重なる位置に配置される。
本実施形態では、第１柱部材２は、上ベース部材７の上アジャスト部７２および下ベース部材８の下アジャスト部８２を一対の柱側板部２２，２２の内側の空部Ｓ１に配置させた状態で、より前側において上アジャスト部７２および下アジャスト部８２に固定される。
【００２１】
第２柱部材３は、床面１２ａから屋根部１７の下側まで上下方向に延在する部材で、建物１１の壁部１３に固定されている、第２柱部材３は、建物１１の壁部１３に直接固定されていてもよいし、建物１１の壁部１３に固定された固定部材を介して固定されていてもよい。
【００２２】
図２に戻り、調整部材４は、前後方向に延在し床面１２ａに設置される床側部材４１と、前後方向に延在し床側部材４１を上側から覆った状態で床側部材４１に固定され上部に枠材６が固定される枠側部材４２と、を有している。
床側部材４１は、前端部が第１柱部材２に固定され、後端部が第２柱部材３に固定されている。
図５および図６に示すように、床側部材４１は、前後方向に延在し幅方向に間隔をあけて床面１２ａに設置される一対の脚部４１１，４１１と、一対の脚部４１１，４１１にそれぞれ立設し板面が幅方向を向く一対の側板部４１２，４１２と、一対の側板部４１２，４１２の高さ方向の中間部どうしをそれぞれ連結する第１連結板部４１３および第２連結板部４１４と、を有している。
【００２３】
脚部４１１は、断面視で下方に開口する略Ｃ字状で、前後方向に延在し下方に開口する溝部４１１ａが形成されている。溝部４１１ａには、床部１２に設置された際に床面１２ａと当接するクッション材などの弾性材４１５が設けられている。
一対の側板部４１２，４１２は、それぞれ下端部が脚部４１１，４１１と連結されていて、上端部に互いに上側に向かうとともに互いに近接する側に向かって突出する突出片４１２ａ，４１２ａが設けられている。
【００２４】
第１連結板部４１３は、第２連結板部４１４よりも下側に配置されていて、板面が床面１２ａと平行となる平坦面に形成されている。本実施形態では、第１連結板部４１３の板厚は、第２連結板部４１４の板厚よりも薄く形成されている。
第１連結板部４１３の下側かつ一対の脚部４１１，４１１および一対の側板部４１２，４１２に挟まれた空間Ｓ２には、床面１２ａに設置された止水部材５が配置される。
第２連結板部４１４は、断面視で幅方向の中間部が上側に開口する略Ｃ字状となるように下側に折り曲げられていて、前後方向に延在し上側に開口する溝部４１４ａが形成されている。
【００２５】
枠側部材４２は、上端部に配置され板面が上下方向を向く上板部４２１と、上板部４２１の幅方向の両端部から下方に延びる一対の側板部４２２，４２２と、上板部４２１の幅方向の一方の端部から上方に延びるフィン４２３と、を有している。
枠側部材４２は、上板部４２１の上面に枠材６が固定され、上板部４２１に固定された枠材６の幅方向の一方側の側面にフィン４２３が重なるように構成されている。フィン４２３は、上板部４２１と枠材６との間に幅方向の一方側から雨水が入り込むことを防止している。
一対の側板部４２２，４２２は、上下方向の中間部にそれぞれ段部４２２ａ，４２２ａが形成されている、一対の側板部４２２，４２２は、それぞれの段部４２２ａ，４２２ａの上側および下側が、板面が幅方向を向くように平行に配置されている。一対の側板部４２２，４２２は、それぞれの段部４２２ａ，４２２ａの下側が上側よりも幅方向に近接していて、それぞれの段部４２２ａ，４２２ａの下側の幅方向の間隔が上側の幅方向の間隔より小さくなるように形成されている。
一対の側板部４２２，４２２の内側には、それぞれ互いに近接する方向に突出する突出片４２２ｂ，４２２ｂ…が上下方向全体にわたって２箇所ずつ形成されている。
【００２６】
枠側部材４２は、枠材６が固定されるため上板部４２１の板面が上下方向を向く水平面となる向きに配置されている。これに対し、床側部材４１は、排水勾配のある床面１２ａに沿って設置されるため、建物１１の壁部１３側となる後端部側が、立ち上がり壁１４側となる前端部側よりも高い位置に配置されて、第２連結板部４１４の板面が上下方向に対して斜めとなる向きに配置されている。このため、枠側部材４２は、斜めに配置された床側部材４１に対して水平となるように固定される。
【００２７】
止水部材５は、上端部に配置され板面が床面１２ａと平行となるとともに上面が第１連結板部４１３と対向するように配置される上板部５１と、上板部５１の幅方向の一方の端部近傍から床面１２ａまで下方に延びる第１側板部５２と、他方の端部近傍から下方に伸びて下端部が床面１２ａと離間する第２側板部５３と、第１側板部５２と第２側板部５３とを連結するとともに床面１２ａと当接する床面当接板部５４と、を有している。
【００２８】
上板部５１は、調整部材４の第１連結板部４１３と上下方向に離間している。
第１側板部５２および第２側板部５３は、上板部５１の下面の幅方向の両端部よりもやや内側から下方に延びるように配置されている。
第１側板部５２は、下端部に第２側板部５３側に折り曲げられた折り曲げ部５２１が形成されていて、折り曲げ部５２１の下面５２１ａが床面１２ａと当接している。
第２側板部５３は、第１側板部５２よりも上下方向の寸法が小さくなるように形成されている。
【００２９】
床面当接板部５４は、幅方向の一方の端部が第１側板部５２の高さ方向の中間部に連結され、他方の端部が第２側板部５３の下端部に連結されている。床面当接板部５４は、幅方向の中間部に断面視で下側に突出する略Ｃ字状となり前後方向に延在する突出部５４１が形成されている。突出部５４１の下面は、床面１２ａと当接している。
本実施形態では、止水部材５は、第１側板部５２の折り曲げ部５２２の下面、および床面当接板部５４の突出部５４１の下面が床面１２ａと当接している。
また、床面当接板部５４の突出部５４１の第２側板部５３側には、突出部５４１の側面と、床面当接板部５４の下面と、床面１２ａとに囲まれた空間部５５が形成されている。この空間部５５には、シーリング材５７が充填されるように構成されている。
【００３０】
本実施形態による調整部材４および止水部材５は、以下のように設置される。
まず、止水部材５を床面１２ａに配置して、前端部を第１柱部材２に固定し、後端部を第２柱部材３に固定する。
なお、本実施形態では、図６に示す止水部材５の前後方向の両端部近傍の幅方向の側部に配置される一対の側板部５６１，５６１と、一対の側板部５６１，５６１を連結して第１柱部材２および第２柱部材３にネジなどの固定具５６２ａで固定される柱固定板部５６２と、を有する固定金具５６によって止水部材５が第１柱部材２および第２柱部材３に固定される。固定金具５６の一対の側板部５６１，５６１の一方と止水部材５の第２側板部５３とは、ネジなどの固定具５６１ａで固定される。
続いて、止水部材５の空間部５５にシーリング材５７を充填し、止水部材５の幅方向の一方側と他方側とを止水する。
【００３１】
続いて、調整部材４の床側部材４１を一対の脚部４１１，４１１、一対の側板部４１２，４１２および第１連結板部４１３で止水部材５を覆うように床面１２ａに設置し、前端部を第１柱部材２に固定し、後端部を第１柱部材２に固定する。このとき、調整部材４の弾性材４１５を床面１２ａに密着させる。
なお、本実施形態では、図６に示す床側部材４１の第２連結板部４１４の溝部４１４ａに挿入されて床側部材４１にネジなどの固定具４３１ａで固定される溝部挿入板部４３１と、溝部挿入板部４３１と連結され第１柱部材２および第２柱部材３にネジなどの固定具４３２ａで固定される柱固定板部４３２と、を有する固定金具４３によって調整部材４の床側部材４１が第１柱部材２および第２柱部材３に固定される。
調整部材４の第１連結板部４１３の下側かつ一対の脚部４１１，４１１および一対の側板部４１２，４１２に挟まれた空間Ｓ２に止水部材５が配置されると、止水部材５は、第１連結板部４１３、一対の脚部４１１，４１１および一対の側板部４１２，４１２と離間している。これにより、風や振動などによって調整部材４が移動しても、移動した調整部材４が止水部材５にあたらない、またはあたりにくい構成とすることができる。このため、移動した調整部材４があたることによる止水部材５の床面１２ａに対する移動を無くすまたは抑えることができて、止水部材５の止水性能を確実に確保することができる。
【００３２】
続いて、枠側部材４２で床側部材４１を覆い、枠側部材４２の上板部４２１の上面が水平面となる向きにして、枠側部材４２を床側部材４１に固定する。本実施形態では、枠側部材４２の一対の側板部４２２，４２２がネジなどの固定具４４，４４（図６参照）でそれぞれ床側部材４１の一対の側板部４１２，４１２に固定される。
床側部材４１は、排水勾配に沿った向きに配置されているため、枠側部材４２は、床側部材４１に対して斜めに固定される。本実施形態では、枠側部材４２の上板部４２１の下面と床側部材４１の側板部４１２，４１２の上端部の突出片４１２ａ，４１２ａとが、前端部側（第１柱部材２側）では上下方向に離間して（図５参照）、後端部側（第２柱部材３側）では近接している（図６参照）。なお、後端部近傍において上板部４２１の下面と突出片４１２ａ，４１２ａとが、当接していてもよい。
そして、調整部材４および止水部材５が設置されたら、第１柱部材２、第２柱部材３、梁部１６および調整部材４の内側に枠材６を固定することで、枠材６が設置される。
【００３３】
次に、上述したテラス囲い１の作用・効果について図面を用いて説明する。
上述した本実施形態によるテラス囲い１では、第１柱部材２は、コーピング上柱１５に支持された上ベース部材７と、立ち上がり壁１４に支持された下ベース部材８に対してそれぞれ壁部１３と立ち上がり壁１４とが近接・離間する方向に固定位置を調整可能である。これにより、第１柱部材２を壁部１３側から立ち上がり壁１４に向かう方向に寄せるようにして上ベース部材７および下ベース部材８に取り付けると、テラス囲い１の内側に柱部材を立設した場合と比べて第１柱部材２の立ち上がり壁１４から壁部１３側への突出寸法を抑えることができる。このため、テラス囲い１内部の空間を広く確保することができる。
【００３４】
また、本実施形態によるテラス囲い１では、建物１１の壁部１３に第２柱部材３が設けられていて、第１柱部材２および第２柱部材３には、枠材６を取り付け可能であることにより、第１柱部材２と第２柱部材３との間に枠材６を設けることができ、その結果、枠材６に扉などを設置することができる。
【００３５】
また、第１柱部材２は、上ベース部材７および下ベース部材８それぞれの少なくとも一部を壁部１３側から覆っている構成とすることにより、上ベース部材７と下ベース部材８とが壁部１３と立ち上がり壁１４とが近接・離間する方向にずれた位置に配置された場合でも、上ベース部材７と下ベース部材８とがそれぞれ第１柱部材２に覆われることにより、意匠性をよくすることができる。
【００３６】
以上、本発明によるテラス囲いの実施形態について説明したが、本発明は上記の実施形態に限定されるものではなく、その趣旨を逸脱しない範囲で適宜変更可能である。
例えば、上記の実施形態では、上ベース部材７および下ベース部材８は、それぞれ１つの部材で構成されているが、分割された複数の部材で構成されていてもよい。
また、上記の実施形態では、第１柱部材２が上ベース部材７および下ベース部材８を後側から覆っているが、覆っていなくてもよい。
また、上記の実施形態では、調整部材４および止水部材５が設けられているが、設けられていなくてもよいし、調整部材４および止水部材５を上記以外の形態としてもよい。
【符号の説明】
【００３７】
１  テラス囲い
２  第１柱部材
３  第２柱部材
７  上ベース部材
８  下ベース部材
１１  建物
１２  床部
１３  壁部
１４  立ち上がり壁
１５  コーピング上柱（柱）
１６  梁部
【図１】
0006636726.tif 000002
【図２】
0006636726.tif 000003
【図３】
0006636726.tif 000004
【図４】
0006636726.tif 000005
【図５】
0006636726.tif 000006
【図６】
0006636726.tif 000007